(57)【特許請求の範囲】
【請求項１】
床面上に隔置されたフロアパネルの裏面に接して列状に配置される床間冷温水パイプの支持構造において、前記冷温水パイプを収容するように上部が開放された樋状部材と、前記床面上に設置され、かつ帯板を山形に折曲して成る複数個の帯状山形支持部材とを有し、前記樋状部材は前記帯状山形支持部材の頂部に支持され、前記帯状山形支持部材は、その裾部が前記樋状部材の伸長方向に隣接するように該樋状部材に沿って配列されることを特徴とする床間冷温水パイプの支持構造。
【請求項２】
前記樋状部材は前記帯状山形支持部材の頂部の平坦面に載置され、前記フロアパネルは複数個の支持脚を介して前記床面上に支持されることを特徴とする請求項第１項に記載した床間冷温水パイプの支持構造。
【請求項３】
前記帯状山形支持部材は前記樋状部材の横巾より広い巾の帯板が山形に折曲されて構成され、かつその頂部に前記樋状部材の横巾に対応する凹溝が形成され、前記凹溝内に前記樋状部材が収容されて支持され、前記フロアパネルは前記帯状山形支持部材の頂部に接するようにして該山形支持部材に担持されることを特徴とする請求項第１項に記載した床間冷温水パイプの支持構造。
【請求項４】
前記帯状山形支持部材は、上面視で縦、横方向に複数個間隔を有して配列され、かつ隣接するものどおしの裾部が互いに縦、横方向に連結されることを特徴とする請求項第１項ないし第３項に記載した床間冷温水パイプの支持構造。
【請求項５】
床面上に隔置されたフロアパネルの裏面に接して列状に配置される床間冷温水パイプと、前記フロアパネルの一部に形成された空気吹出口と、冷暖房対象空間の上部に形成された空気吸込口と、前記床間冷温水パイプ周囲の床面と前記フロアパネルとの間のパネル下空間部に冷気あるいは暖気を送り込み、かつ前記フロアパネルの前記空気吹出口から前記冷暖房対象空間および前記空気吸込口を経て前記パネル下空間部へと循環させる冷暖気供給装置と、前記床間冷温水パイプに冷水あるいは温水を送って循環させる冷温水供給装置とを有し、前記床間冷温水パイプは上部が開放された樋状部材に収容され、前記樋状部材は帯板を山形に折曲して成る複数個の帯状山形支持部材の頂部に支持され、前記帯状山形支持部材はその裾部が前記樋状部材の伸長方向に隣接するように該樋状部材に沿って前記床面上に複数個配列されることを特徴とする床吹出し空調・冷暖房装置。
【請求項６】
室内機器用配線が複数個の前記帯状山形支持部材の間を通して前記パネル下空間部に配設され、かつ前記フロアパネルを通して冷暖房対象室内に引き出されて該室内の機器に接続されることを特徴とする請求項第５項に記載した床吹出し空調・冷暖房装置。
【発明の詳細な説明】
【０００１】
【発明の属する技術の分野】
本発明は冷温水を用いた床輻射冷暖房システム、特に、隔置された２重床の間に配設される床間冷温水パイプの支持構造およびこの床間冷温水パイプ支持構造を採用した床吹出し空調・冷暖房装置に関する。
【０００２】
【従来の技術】
この種の床吹出し空調・冷暖房装置としては既に、図６に示すように、冷温水発生機３０からの冷水あるいは温水を、床パネル３１の下側に配設した冷温水パイプ３２に送水、循環させて床自体を冷却あるいは加熱し、その床輻射により室内３３を冷暖房する床輻射冷暖房システムと、空気調和機３５からの湿度あるいは温度等の調節空気を床パネル３１の下側の空間部３６に供給し、該空間部３６に連通する床パネル側部近傍に形成した吹出口３８から室３３内へ送風し、室上部の吸込口３９から空気調和機３５へ戻して循環させることにより室内を空調雰囲気に調節する、いわゆる床吹出し空調システムとの組み合わせによる空調・冷暖房装置が知られている（例えば特許第２６０２１９号）。この場合、冷温水パイプ３２はモルタル等の熱伝導率の高い被覆材３７に埋め込まれるようにして床パネル３１の下側に固定される。
【０００３】
また、近年の情報処理技術の進展、普及に伴ない、特にオフィスビルの室内で多数のパソコン、コピー機、電話機あるいはファクシミリ等のＯＡ機器を設置する場合、図７に示すように、床面４０上に前記ＯＡ機器の電源および配線用のコード４１を這わせ、また床面４０上に多数の支持脚４２を所定間隔で立設し、各支持脚４２上に複数個に分割したフロアパネル４５を開閉自在に設置した２重床構造も実施されている。室内の前記ＯＡ機器を配線コード４１に接続する際は該当箇所のフロアパネル４５を開いてコード４１を引き出して接続し、接続完了後はフロアパネル４５を閉鎖する。
【０００４】
【発明が解決しようとする課題】
しかしながら従来の２重床式冷暖房システムは、冷温水パイプ３２と床パネル３１間に被覆材３７が充填されるために、床パネル３１を開閉することができず、床パネル３１の下面にＯＡ機器の配線コード等を這わせることができない。また、冷温水パイプ３２は被覆材３７内に埋め込まれる形態となるため、冷温水パイプ３２と床パネル３１が間接接触となり、熱伝導性の点でも問題があった。さらに冷温水パイプ３２の破損、腐食等が起ったときのパイプの交換、修理に大がかりな工事が必要となる。
【０００５】
また、２重床の空間を利用して配線用コード４１を床面に這わせる構成についても、従来はコード４１が床面上をただ雑然と這っているのみであり、コード４１の本数が多くなった場合には、各コード４１がからみ合ってしまい、室内のＯＡ機器の位置を変えた場合には、所要のコードを選び出して再接続するという作業に時間を要し、必要以上に多くの床パネルを開かなければならない不都合があった。
【０００６】
本発明は上述した従来の不具合をなくし、冷温水による床輻射冷暖房システムと冷温風による床吹出し空調システムとを組み合せた空調・冷暖房装置において、冷温水パイプを上側の床パネル（フロアパネル）の裏面に接して簡単に支持でき、冷温水パイプの周囲の空間部に室内機器の電源、配線用コードを整然と、かつ簡単、迅速に這わせることができ、また装置設置工事の作業性もよく、工事費用の低減が図られる床間冷温水パイプの支持構造およびこの冷温水パイプ支持構造を採用した床吹出し空調・冷暖房装置を提供することにある。
【０００７】
【課題を解決するための手段】
本発明によれば、床面上に隔置されたフロアパネルの裏面に接して列状に配置される床間冷温水パイプの支持構造において、前記冷温水パイプを収容するように上部が開放された樋状部材と、前記床面上に設置され、かつ帯板を山形に折曲して成る複数個の帯状山形支持部材とを有し、前記樋状部材は前記帯状山形支持部材の頂部に支持され、前記帯状山形支持部材は、その裾部が前記樋状部材の伸長方向に隣接するように該樋状部材に沿って配列された床間冷温水パイプの支持構造が提供される。
【０００８】
また本発明によれば、床面上に隔置されたフロアパネルの裏面に接して列状に配置される床間冷温水パイプと、前記フロアパネルの一部に形成された空気吹出口と、冷暖房対象空間の上部に形成された空気吸込口と、前記床間冷温水パイプ周囲の床面と前記フロアパネルとの間のパネル下空間部に冷気あるいは暖気を送り込み、かつ前記フロアパネルの前記空気吹出口から前記冷暖房対象空間および前記空気吸込口を経て前記パネル下空間部へと循環させる冷暖気供給装置と、前記床間冷温水パイプに冷水あるいは温水を送って循環させる冷温水供給装置とを有し、前記床間冷温水パイプは上部が開放された樋状部材に収容され、前記樋状部材は帯板を山形に折曲して成る複数個の帯状山形支持部材の頂部に支持され、前記帯状山形支持部材はその裾部が前記樋状部材の伸長方向に隣接するように該樋状部材に沿って前記床面上に複数個配列された床吹出し空調・冷暖房装置が提供される。
【０００９】
【発明の実施の形態】
次に、本発明を好適な実施形態について図面を参照して説明する。図１は本発明の１実施形態に係る床間冷温水パイプ支持構造の部分的な斜視図、図２は樋状部材の拡大横断面図である。破線で示す冷温水パイプ１は所定間隔を有して列状に平行配置されるが、各パイプ１はそのほぼ全長にわたって樋状部材２に収容された状態で設置される。樋状部材２は図２に示すように上側が開放され、対向する２つの側辺部２ａと平坦な底辺部２ｂをもつ横断面が略Ｕ字状の長尺部材で構成されている。各々の樋状部材２は、平坦な頂部３ａをもつ帯状山形支持部材３に支持されている。
【００１０】
この実施形態の帯状山形支持部材３は、各樋状部材２の横巾寸法ｔより若干広い巾ｄの長い帯板を山形に折曲した形状を有し、各々の山形支持部材３の裾部３ｂが樋状部材２の伸長方向に隣接するように該樋状部材２に沿って列状に配置されるとともに、樋状部材２の横方向（該部材２の伸長方向に対して直角方向）にも整列して配置され、これによって上面視でみれば帯状山形支持部材３は縦列および横列のマトリックス状に並べて配置される。樋状部材２はその平坦な底辺部２ｂの部分で山形支持部材３の平坦な頂部３ａにリベット、ボルト（図１には図示省略）等の固着手段で固定される。
【００１１】
各々の帯状山形支持部材３の裾部３ｂ下端は、隣接するものどおしが平坦な底板５で一体に連結されている。このような山形支持部材３はフロアパネル９と床板８（図２）との間に配置され、かつ前記底板５がボルト等によって床板８の床面に固定される。前記床面上に山形支持部材３が設置された状態で樋状部材２内の冷温水パイプ１はフロアパネル９の裏面に接触している（図２）。なお、図１の実施形態では施工上の理由から縦方向（樋状部材２の長手方向）に２列、横方向に３列の合計６体の山形支持部材３がその裾部下端で矩形状の底板５により連結され、かつそれぞれ縦列各２体の山形支持部材３にまたがるように分割された長さの樋状部材２（合計３本）が山形支持部材３の頂部３ａに載置固定され、これによって１つの冷温水パイプ支持ユニット１０が構成され、多数の冷温水パイプ支持ユニット１０が広い床面に各々の樋状部材２の端部２ｃが整合するように敷き詰めて設置される。前記支持ユニット１０の縦方向両端の各山形支持部材３の裾部下端は横方向に細巾長尺の端板７で連結されている。なお、各山形支持部材３の各裾部下端と前記底板５および端板７は別体で製造して溶接等で連結してもよいが、コスト上の点からはこれらを一体にして１枚の板材からプレス打抜き・曲げ加工により製作するのがよい。
【００１２】
図３は上述した冷温水パイプ支持ユニット１０をフロアパネル９と床板８の床面８ａとの間の空間部に設置した場合の空調・冷暖房対象室１２の全体側面断面図である。前記室１２の基礎部となる床板８の上に、該床板８に対して一定の間隔を有してフロアパネル９が敷設されている。フロアパネル９の片隅、好ましくは窓側の隅部に溝状の冷暖気の吹出口１１が形成され、この吹出口１１の位置と反対側の前記室１２の上部、例えば天井あるいは上部壁面部位に冷暖気の吸込口１３が設けられている。
【００１３】
床板８の床面８ａ上に、そのほぼ全面を覆うように、多数の冷温水パイプ支持ユニット１０が敷き詰められ、前述したように山形支持部材３の頂部３ａの各樋状部材２に冷温水パイプ１が収容される。また、フロアパネル９と床板８との間の空間部に、かつ縦列および横列に並んだ山形支持部材３の間を這わせるようにして、複数本の配線用コードあるいは電源用コード（符号１５、図１）が張り渡される。この場合、各コード１５は床面８ａ上に固定した冷温水パイプ支持ユニット１０の上側から複数の山形支持部材３の間に落し込むように必要に応じて縦列、横列あるいは斜め方向に設置されるが、場合によっては図１の符号１５ａに例示するように一部分は山形支持部材３の中を潜らせることもできる。
【００１４】
冷温水パイプ１および配線用コード１５類を設置した後、複数枚に分割されたフロアパネル９が支持脚１６を介して樋状部材２の上に設置される。この場合、前述した如く、樋状部材２に収容された冷温水パイプ１が樋状部材２の上側開放部から露出してフロアパネル９の裏面に接するようになっている。好ましくは前記支持脚１６は高さ調整可能な螺子式のものが用いられる。
【００１５】
室外部の機械室に冷温水発生機１７および冷暖気発生機１８が設置され、冷水あるいは温水が冷温水発生機１７から冷温水ヘッダ１９および配管２０を介して床面８ａ上の冷温水パイプ１に導入され、かつこの間を循環される。冷暖気発生機１８からの湿度や温度の調節された冷気あるいは暖気は送風管２１を介して床板８に形成された送風孔２２あるいはフロアパネル９と床板８間の側方の下部壁面に形成された送風孔２３からフロアパネル９と床板８間の空間部６に送られ、フロアパネル９の隅部の吹出口１１から室１２内に導入され、該室１２の空気調和が行われ、室上部の吸込口１３から冷暖気発生機１８に戻され、かつこの間を循環される。
【００１６】
フロアパネル９の吹出口１１から吹き出された湿度、温度の調節空気は室１２内に満たされ、フロアパネル９上のＯＡ機器（図示省略）や人体からの発生熱や塵煙等は上部の吸込口１３から排出され、また、冷温水パイプ１からフロアパネル９に伝達された冷暖房熱は該フロアパネル９から室１２内に輻射され、室１２内は常に新鮮で快適な空調雰囲気に保たれる。また床面８ａ上に這わされるＯＡ機器（図示省略）の配線用コード１５類は、図１に示す如く、帯状山形支持部材３、特に該部材３の裾部３ｂによって大まかな位置決め、案内がなされ、本数が多くなっても従来のようにからみ合ったり、隅部の箇所に不必要に集中して引き出すのに手間がかかるということがなく、コード接続箇所に対応するフロアパネル９を開いて迅速、容易に必要なコード１５を引き出して前記ＯＡ機器に接続できる。
【００１７】
図４は本発明の他の実施形態に係る冷温水パイプ支持構造の部分的な拡大断面図、図５は図４の矢視Ｆからみた部分的な側面図である。なお、図４は図５のＡ−Ａ線に沿って裁断したものである。この実施形態では、帯状山形支持部材３の帯板の板巾は樋状部材２の横巾より広く形成されており、帯状山形支持部材３の頂部３ａはその中央位置に樋状部材２の横巾ｔとほぼ等しいか、あるいはこれより若干広い溝巾の凹溝２５が形成されている。樋状部材２はこの凹溝２５に収容されて支持される。また、凹溝２５の深さは樋状部材２の縦巾ｈとほぼ同等、あるいはこれより若干深い角溝となっており、したがって樋状部材２が前記山形支持部材３の凹溝２５に収容されたとき、樋状部材２は山形支持部材３の最頂部３ａの平坦面から突出することがなく、フロアパネル９は前記山形支持部材３の前記最頂部の平坦面に接触して該支持部材３に直接担持される。この場合も樋状部材２内の冷温水パイプ１はフロアパネル９の裏面に接するように該パイプ１と樋状部材２の寸法関係が定められる。
【００１８】
図４，図５の実施形態では樋状部材２は帯状山形支持部材３の頂部３ａの凹溝２５内に適切な公差で嵌合されて支持されるので、樋状部材２を前記山形支持部材３に固定するためのリベットやボルトは不要である。また、前記山形支持部材３の板厚を適切に選定することにより、フロアパネル９は前記山形支持部材３のみによって安定に支持され、図１〜図３の実施形態のようにフロアパネル９を床面８ａに支持するための支持脚１６は不要となり、それだけ工事の手間が省け、部品の数も少なくなり、コスト低減となる。なお、この実施形態でも図１のように帯状山形支持部材３を縦列，横列に適当な個数で配置して裾部３ｂを底板５で連結し、これを１つの単位の冷温水パイプ支持ユニット１０として構成し、対象とする室の大きさに応じて必要な個数の支持ユニット１０を準備するようにしてもよいことは勿論である。
【００１９】
【発明の効果】
以上説明したように本発明によれば、冷温水パイプを２重床の上側床パネルの裏面に接触させて支持するとともに、前記上側床パネルと基礎側の床板との間に空隙を確保し、この空隙部を通して空調制御された空気を前記床パネルの吹出口から室内に送り、室上部の吸込口から排出し、かつこの間を循環するようにしたので、冷温水パイプによる前記床パネルからの輻射および前述の空調空気による室内の冷暖房および空調が有効になされる。前記吹出口から前記室内に送り込まれる空気は２重床の間の前記冷温水パイプによっても冷暖気作用を受け、熱源を無駄なく利用できる。
【００２０】
また、床板とフロアパネル間に張り渡すＯＡ機器などのコード類は、その位置規制のための特別なガイド部材等を別途設けることなく、位置規制のための狭いガイド孔に挿通する必要はなく、床面上に設置した冷温水パイプの帯状山形支持部材の上側から該支持部材の裾部の間に這わせるようにして敷設できるため、コード設置工事がきわめて容易である。しかも縦列、横列に並んだ多数の前記支持部材の間に縦、横、斜めの任意の方向に伸長させ得るとともに、その大まかな位置が前記支持部材に規制されて延びるために、前記コードが多数本になっても、からみ合ったり隅の方へずれたりすることがなく、分割されたフロアパネルの該当箇所を開いて必要なコードを誤りなく引き出すことができるなど、多くの効果がもたらされる。
【図面の簡単な説明】
【図１】本発明の１実施形態に係る冷温水パイプ支持構造の部分的な斜視図である。
【図２】樋状部材の拡大横断面図である。
【図３】図１の実施形態における冷温水パイプ支持ユニットをフロアパネルと床面の間の空間部に設置した場合の空調・冷暖房対象室の全体側面断面図である。
【図４】本発明の他の実施形態に係る冷温水パイプ支持構造の部分的な拡大断面図である。
【図５】図４の矢視Ｆからみた部分的な側面図である。
【図６】従来の冷暖房装置の概略的な縦断面図である。
【図７】従来のオフィスビルの床面におけるフロアパネル下の配線用コードの配設状態を示す部分的な斜視図である。
【符号の説明】
１  冷温水パイプ
２  樋状部材
３  帯状山形支持部材
５  底板
８  床板
９  フロアパネル
１０  冷温水パイプ支持ユニット
１１  吹出口
１３  吸込口
１５  配線用コード
１６  支持脚
１７  冷温水発生機
１８  冷暖気発生機
２２，２３  送風孔
２５  凹溝
【図１】
0003790840.tif 000002
【図２】
0003790840.tif 000003
【図３】
0003790840.tif 000004
【図４】
0003790840.tif 000005
【図５】
0003790840.tif 000006
【図６】
0003790840.tif 000007
【図７】
0003790840.tif 000008